(57)【特許請求の範囲】
【請求項１】
架台フレームに固定され傾斜面を形成する不動楔と、該不動楔の傾斜面に沿って略水平方向に移動可能に配置された駆動楔と、を備えた楔形ジャッキ装置において、
前記架台フレームに対する前記駆動楔の移動量を読み取るための目盛りを有する目盛表示手段と、
前記駆動楔の位置を指し示す位置表示手段と、を有し、
前記目盛表示手段は、前記駆動楔の水平方向の移動量を上下方向の移動量に換算して表示するように構成されている、
ことを特徴とする楔形ジャッキ装置。
【請求項２】
前記目盛表示手段は、前記架台フレームに配置され、前記位置表示手段は、前記駆動楔に配置されている、ことを特徴とする請求項１に記載の楔形ジャッキ装置。
【請求項３】
前記目盛表示手段は、前記架台フレームの両側面に配置可能に構成され、前記位置表示手段は、前記駆動楔の上面に固定され前記架台フレームの両側面に延伸された略コ字状の位置表示金具により構成されている、ことを特徴とする請求項２に記載の楔形ジャッキ装置。
【請求項４】
前記架台フレームの側面に形成された長孔を有し、前記目盛表示手段は、前記長孔の縁部に沿って配置され、前記位置表示手段は、前記長孔に挿通され前記駆動楔の側面に固定された略Ｌ字状の位置表示金具により構成されている、ことを特徴とする請求項２に記載の楔形ジャッキ装置。
【請求項５】
前記目盛表示手段は、前記駆動楔に配置され、前記位置表示手段は、前記架台フレームに配置されている、ことを特徴とする請求項１に記載の楔形ジャッキ装置。
【請求項６】
前記目盛表示手段は、前記駆動楔の上面に固定され前記駆動楔の移動方向に延伸された略Ｔ字状の目盛表示金具を有し、前記位置表示手段は、前記架台フレームの一部又は前記架台フレームに固定された位置表示金具により構成されている、ことを特徴とする請求項５に記載の楔形ジャッキ装置。
【発明の詳細な説明】
【技術分野】
【０００１】
本発明は、楔形ジャッキ装置に関し、特に、橋梁の支承補修工事等に適した楔形ジャッキ装置に関する。
【背景技術】
【０００２】
橋梁は、一般に、橋台や橋脚等の下部構造の上に支承を介して主桁や主構等の上部構造が載置されている。支承は、上部構造の荷重を支持するとともに、温度変化や地震による水平方向のずれを吸収する機能を有している。支承は、野外に露出した状態に配置されていることから、風雨等に晒されて劣化しやすい。また、上部構造には多くの車両が繰り返し往来することから、支承には振動による繰り返し荷重が負荷され、疲労破壊を生じやすい。したがって、定期的に支承を点検し、支承の補修や交換等を行う工事（以下、「支承補修工事」と称する）が必要となる。
【０００３】
かかる支承補修工事では、上部構造を持ち上げて支承を下部構造から解放した状態にする必要がある。この上部構造を持ち上げる手段して、例えば、特許文献１に記載されたような楔形ジャッキ装置が既に使用されている。
【０００４】
特許文献１には、押引手段に関係づけて、巾方向には規制され、上面及び下面が傾斜面となる楔形駆動部材と、該楔形駆動部材下面の傾斜面と略同形の傾斜面を上面に有し、巾方向及び長さ方向に移動規制した下部受圧部材と、前記楔形駆動部材上面の傾斜面と略同形の傾斜面を下面に有し、巾方向及び長さ方向に移動規制した上部楔形受圧部材と、前記押引手段で楔形駆動部材を押動した状態で移動規制する為のストッパ手段と、よりなる楔形ジャッキ装置が開示されている。
【０００５】
ところで、橋梁の上部構造は複数の支承により支持されていることから、各支承においてジャッキ装置により上部構造を持ち上げる量（以下、「扛上量」と称する）を調整しなければ、上部構造が傾斜してバランスを崩してしまい、応力集中が生じてしまう、路面に段差ができてしまう等の問題が生じる。したがって、支承補修工事において扛上量の管理が重要な要素の一つとなっている。
【０００６】
扛上量を計測する方法としては、楔形ジャッキ装置に関するものではないが、ロータリエンコーダを用いた方法（特許文献２参照）や磁気スケールを用いた方法（特許文献３参照）が知られている。
【先行技術文献】
【特許文献】
【０００７】
【特許文献１】特開平６−４８６８５号公報
【特許文献２】特開平８−１３４８３３号公報
【特許文献３】特開平９−２９６５２３号公報
【発明の概要】
【発明が解決しようとする課題】
【０００８】
上述した楔形ジャッキ装置を用いた支承補修工事では、通常、楔形ジャッキ装置を配置する下部構造の側面にゲージを取り付け、作業者が目視で扛上量を計測している。したがって、作業者の熟練度等によって、ゲージの取り付け精度や読み取り精度にバラツキがあり、扛上量の管理精度を均一にすることが難しいという問題があった。
【０００９】
本発明は、上述した問題点に鑑み創案されたものであり、扛上量の管理精度を向上することができる楔形ジャッキ装置を提供することを目的とする。
【課題を解決するための手段】
【００１０】
本発明によれば、架台フレームに固定され傾斜面を形成する不動楔と、該不動楔の傾斜面に沿って略水平方向に移動可能に配置された駆動楔と、を備えた楔形ジャッキ装置において、前記架台フレームに対する前記駆動楔の移動量を読み取るための目盛りを有する目盛表示手段と、前記駆動楔の位置を指し示す位置表示手段と、を有し、前記目盛表示手段は、前記駆動楔の水平方向の移動量を上下方向の移動量に換算して表示するように構成されている、ことを特徴とする楔形ジャッキ装置が提供される。
【００１１】
前記目盛表示手段は、例えば、前記架台フレームに配置され、前記位置表示手段は、前記駆動楔に配置されている。そして、前記目盛表示手段は、前記架台フレームの両側面に配置可能に構成され、前記位置表示手段は、前記駆動楔の上面に固定され前記架台フレームの両側面に延伸された略コ字状の位置表示金具により構成されていてもよい。また、前記架台フレームの側面に形成された長孔を有し、前記目盛表示手段は、前記長孔の縁部に沿って配置され、前記位置表示手段は、前記長孔に挿通され前記駆動楔の側面に固定された略Ｌ字状の位置表示金具により構成されていてもよい。
【００１２】
また、前記目盛表示手段は、例えば、前記駆動楔に配置され、前記位置表示手段は、前記架台フレームに配置されている。そして、前記目盛表示手段は、前記駆動楔の上面に固定され前記駆動楔の移動方向に延伸された略Ｔ字状の目盛表示金具を有し、前記位置表示手段は、前記架台フレームの一部又は前記架台フレームに固定された位置表示金具により構成されていてもよい。
【発明の効果】
【００１４】
上述した本発明に係る楔形ジャッキ装置によれば、目盛表示手段と位置表示手段とを設けたことにより、架台フレームに対する駆動楔の移動量を、熟練度に関係なく容易に計測することができ、作業者による扛上量管理のバラツキを低減し、扛上量の管理精度を向上することができる。
【図面の簡単な説明】
【００１５】
【図１】本発明の第一実施形態に係る楔形ジャッキ装置を示す部品展開図である。
【図２】目盛表示手段及び位置表示手段の詳細説明図であり、（Ａ）は図１に示した目盛表示手段、（Ｂ）は目盛表示手段の変形例、（Ｃ）は図１に示した位置表示手段、（Ｄ）は位置表示手段の変形例、を示している。
【図３】図１に示した楔形ジャッキ装置の使用方法を示す図であり、（Ａ）はセット工程、（Ｂ）は始点確認工程、（Ｃ）は終点確認工程、を示している。
【図４】本発明の第二実施形態に係る楔形ジャッキ装置を示す図であり、（Ａ）は長手方向側面図、（Ｂ）は平面図、（Ｃ）は変形例を示す短手方向側面図、である。
【図５】本発明の第三実施形態に係る楔形ジャッキ装置を示す図であり、（Ａ）は側面図、（Ｂ）は図５（Ａ）におけるＢ−Ｂ断面図、である。
【図６】本発明の他の実施形態に係る楔形ジャッキ装置を示す図であり、（Ａ）は第四実施形態、（Ｂ）は第五実施形態、を示している。
【発明を実施するための形態】
【００１６】
以下、本発明の実施形態について、図１〜図６を用いて説明する。ここで、図１は、本発明の第一実施形態に係る楔形ジャッキ装置を示す部品展開図である。図２は、目盛表示手段及び位置表示手段の詳細説明図であり、（Ａ）は図１に示した位置表示手段、（Ｂ）は位置表示手段の変形例、（Ｃ）は図１に示した目盛表示手段、（Ｄ）は目盛表示手段の変形例、を示している。図３は、図１に示した楔形ジャッキ装置の使用方法を示す図であり、（Ａ）はセット工程、（Ｂ）は始点確認工程、（Ｃ）は終点確認工程、を示している。
【００１７】
本発明の第一実施形態に係る楔形ジャッキ装置１は、図１に示したように、架台フレーム２に固定され傾斜面を形成する不動楔３と、不動楔３の傾斜面に沿って略水平方向に移動可能に配置された駆動楔４と、駆動楔４の上部に上下方向に移動可能に配置された昇降部材５と、架台フレーム２に固定され駆動楔４を略水平方向に移動させる駆動手段６と、を備え、架台フレーム２に対する駆動楔４の移動量ΔＸを読み取るための目盛りを有する目盛表示手段７と、駆動楔４の位置を指し示す位置表示手段８と、を有している。
【００１８】
架台フレーム２は、底部２１、一対の長手方向側面部２２及び一対の短手方向側面部２３により構成された箱体である。長手方向は、駆動楔４の移動方向に相当する。一方の短手方向側面部２３には、駆動手段６を固定するための開口部２３ａが形成され、他方の短手方向側面部２３には、不動楔３及び昇降部材５の略水平方向の移動を制限する一組のガイド板２３ｂが配置されている。
【００１９】
ガイド板２３ｂは、矩形の平面板により構成されており、上下に配置することによって中間部に隙間が形成されている。下側のガイド板２３ｂは、不動楔３の端部に接触し、不動楔３の略水平方向の移動を制限する。上側のガイド板２３ｂは、昇降部材５の端部に接触し、昇降部材５の略水平方向の移動を制限する一方で、上下方向の移動を許容する。ガイド板２３ｂの隙間は、不動楔３及び昇降部材５に向かって移動する駆動楔４の先端部を挿通させるための空間である。
【００２０】
不動楔３は、略三角柱形状を有し、三角形状を有する端面が長手方向側面部２２に接するように架台フレーム２の底部２１に配置され、ガイド板２３ｂが配置された短手方向側面部２３から開口部２３ａが形成された短手方向側面部２３に向かって下る傾斜面を有している。不動楔３の上面には、滑りをよくするためのコーティングを施したり、ポリテトラフルオロエチレン等のフッ素樹脂シートを貼付したりしてもよい。なお、不動楔３は、下側のガイド板２３ｂを省略し、ボルト等の固定具によって架台フレーム２に固定してもよい。
【００２１】
不動楔３の上面（傾斜面）には駆動楔４が配置される。駆動楔４は、略三角柱形状を有し、三角形状を有する端面が長手方向側面部２２に接するように架台フレーム２内に配置される。このとき、駆動楔４の先細った先端部４１が、ガイド板２３ｂが配置された短手方向側面部２３に向くように配置される。
【００２２】
駆動楔４の断面三角形（先端部４１）の中心角は、不動楔３の断面三角形の中心角（傾斜面の勾配θ）の２倍の大きさを有している（図３（Ｃ）参照）。したがって、不動楔３の傾斜面上に駆動楔４を配置すると、駆動楔４の上面には水平面に対して勾配θの傾斜面が形成される。
【００２３】
また、駆動楔４の後端部４２には、後述する駆動手段６と接続するための係合部４３が形成されている。係合部４３は、例えば、駆動手段６の一部を上下方向に挿通可能な係合溝により形成されるが、かかる構成に限定されるものではない。駆動楔４の上面及び下面には、滑りをよくするためのコーティングを施したり、フッ素樹脂シートを貼付したりしてもよい。
【００２４】
駆動楔４の上面（傾斜面）には、昇降部材５が配置される。昇降部材５は、例えば、不動楔３と略同一の形状を有する楔部材であって、駆動楔４を挟んで不動楔３と鏡面対称に配置される。したがって、昇降部材５の上面は水平面を構成することとなる。昇降部材５の上面及び下面には、滑りをよくするためのコーティングを施したり、フッ素樹脂シートを貼付したりしてもよい。
【００２５】
昇降部材５の上面（水平面）には、支持台を構成するトッププレート５１が配置される。トッププレート５１の下面には、昇降部材５との間に生じる摩擦力を低減するために、ＳＵＳ（ステンレス鋼）やアルミ板を貼付するようにしてもよい。さらに、トッププレート５１の上面には、衝撃やズレ（偏芯）を吸収するための弾性体５２が配置されていてもよい。弾性体５２は、例えば、プレンゴムである。
【００２６】
駆動手段６は、ロッドを伸縮可能な油圧ジャッキ６１と、ロッド先端に配置されるジャッキヘッド６２と、により構成される。油圧ジャッキ６１は、短手方向側面部２３の開口部２３ａに先端が挿通され、位置決めされる。ジャッキヘッド６２は、例えば、括れを有する円筒体により構成され、先端部を駆動楔４の係合部４３に挿通することにより、駆動楔４に接続される。ジャッキヘッド６２の後端部は、開口部２３ａに挿通された油圧ジャッキ６１のロッドに接続される。
【００２７】
かかる構成により、油圧ジャッキ６１によりジャッキヘッド６２を前進又は後退させることにより、駆動楔４を押し引きすることができる。そして、駆動楔４を不動楔３及び昇降部材５の間に押し込むことにより、駆動楔４は不動楔３の傾斜面に沿って上方に移動し、昇降部材５を上方に押し上げることができる。すなわち、楔形ジャッキ装置１によれば、油圧ジャッキ６１の押出力（水平力）を楔効果によって扛上力に転換することができる。
【００２８】
なお、駆動手段６により、所定の扛上量を扛上させた後、駆動楔４の位置を固定するために、複数のストッパプレート６３が油圧ジャッキ６１のロッドに嵌挿される。ストッパプレート６３により、ジャッキヘッド６２の位置を固定した後、油圧ジャッキ６１の油圧を解除することができる。
【００２９】
駆動手段６は、上述した油圧ジャッキ６１を用いた構成に限定されるものではなく、エアシリンダ、電動モータ、アクチュエータ等を用いた構成であってもよいし、歯車減速機構を電動ドライバで回転させる構成であってもよい。
【００３０】
目盛表示手段７は、図２（Ａ）に示したように、駆動楔４の水平方向の移動量ΔＸを読み取るための目盛りを有する。目盛表示手段７は、架台フレーム２の長手方向側面部２２の片側面又は両側面に配置される。目盛表示手段７は、例えば、マグネット板に目盛りを描画又は貼付したものであってもよいし、目盛りを印刷したシールであってもよい。目盛りは、図示したように、マイナスの数値から始まっていてもよいし、０から始まっていてもよい。
【００３１】
また、架台フレーム２の長手方向側面部２２には、目盛表示手段７の取り付け位置を明確にするための目印７１を形成しておくことが好ましい。この目印７１は、例えば、けがき線であってもよいし、ペン等により描画した線であってもよいし、長手方向側面部２２に形成した窪みや突起であってもよい。なお、目盛りそのものを長手方向側面部２２にけがくようにしてもよい。
【００３２】
目盛表示手段７の目盛りは、図２（Ａ）に示したように、駆動楔４の水平方向の移動量ΔＸを表示するものであってもよい。例えば、駆動楔４が、目盛りの１０ｍｍの位置から５０ｍｍの位置まで移動した場合、ΔＸ＝４０ｍｍとなる。この数値は、駆動楔４の水平方向の移動量ΔＸであることから、扛上量（駆動楔４の上下方向の移動量ΔＺ）を知るためには、楔の勾配θから算出する必要がある。具体的には、ΔＺは、図３（Ｃ）に示した位置関係から、ΔＺ＝ΔＸ・ｔａｎθの数式により求めることができる。なお、駆動楔４の上下方向の移動量ΔＺは、昇降部材５の移動量に相当する。
【００３３】
また、目盛表示手段７の目盛りは、図２（Ｂ）に示したように、駆動楔４の水平方向の移動量ΔＸを上下方向の移動量ΔＺ（昇降部材５の移動量）に換算して表示するものであってもよい。ΔＺ＝ΔＸ・ｔａｎθの関係を有することから、駆動楔４の上下方向の移動量ΔＺ＝１ｍｍに対する駆動楔４の移動量ΔＸを求めることができる。例えば、θ＝１０°の場合、ｔａｎθは約０．１７６であることから、ΔＺ＝１ｍｍに対するΔＸの水平方向の移動量は約５．６８ｍｍと求めることができる。そこで、目盛表示手段７の目盛りを５．６８ｍｍ単位で表示することにより、扛上量（駆動楔４の上下方向の移動量ΔＺ）を計算せずに容易に把握することができる。
【００３４】
位置表示手段８は、駆動楔４の位置を指し示す金具であり、駆動楔４に配置される。上述した駆動楔４の後端部４２は、不動楔３及び昇降部材５の端部と接触してストッパを構成する段差が形成されており、後端部４２の上面及び下面は水平面を有している。そして、後端部４２の上面には、搬送用の吊り上げ治具を接続するためのタップ穴４４が形成されている。このタップ穴４４を利用して位置表示手段８を駆動楔４に固定する。なお、位置表示手段８を固定するためのタップ穴を別途設けるようにしてもよい。
【００３５】
位置表示手段８は、例えば、架台フレーム２の長手方向側面部２２の両側面に延伸された略コ字状の位置表示金具８１と、位置表示金具８１を固定するための留め具８２と、により構成される。位置表示金具８１は、図２（Ｃ）に示したように、タップ穴４４と対応する位置に係止孔８３が形成されている。ここで、図２（Ｃ）及び（Ｄ）において、左上段は位置表示金具８１の上面図、左下段は位置表示金具８１の正面図、右上段は位置表示金具８１の側面図、を示している。留め具８２は、例えば、ピンやボルトであって、係止孔８３を介してタップ穴４４に挿通される。
【００３６】
位置表示金具８１の両端部は、図２（Ｃ）の側面図に示したように、矩形形状であってもよいし、図２（Ｄ）に示したように、三角形状であってもよい。図２（Ｃ）に示した位置表示金具８１では、両端部のエッジ部により目盛りを読むことができ、図２（Ｄ）に示した位置表示金具８１では、両端部の尖端部により目盛りを読むことができる。
【００３７】
位置表示金具８１を略コ字状に形成することにより、一つの位置表示金具８１により、架台フレーム２の長手方向側面部２２の両側面に位置表示金具８１の一部を配置することができ、どちらの側面からでもΔＸ又はΔＺの移動量を計測することができる。なお、図示しないが、位置表示金具８１を略Ｌ字状に形成し、目盛表示手段７が配置される側にのみ位置表示金具８１の一部を配置するようにしてもよい。
【００３８】
次に、上述した楔形ジャッキ装置１の作用について、図３（Ａ）〜（Ｃ）を参照しつつ説明する。なお、各図において、説明の便宜上、駆動手段６の図を省略してある。
【００３９】
図３（Ａ）に示したセット工程は、楔形ジャッキ装置１を扛上対象物Ｐの下面に配置する工程である。図１に示した部品を組み立てると、図示したように、不動楔３、駆動楔４、昇降部材５の順に積層されて架台フレーム２内に収容される。また、目盛表示手段７を架台フレーム２の長手方向側面部２２に配置し、駆動楔４の上面に位置表示金具８１を配置すると、図示したように、長手方向側面部２２の表面において、目盛表示手段７の上に位置表示金具８１が配置され、そのエッジ部により目盛表示手段７の目盛りを読み取ることができる。このセット工程では、楔形ジャッキ装置１を扛上対象物Ｐの下面に配置しただけであるため、楔形ジャッキ装置１（具体的には弾性体５２）と扛上対象物Ｐの下面との間には隙間が空いた状態になっている。
【００４０】
図３（Ｂ）に示した始点確認工程は、楔形ジャッキ装置１の一部（具体的には弾性体５２）を扛上対象物Ｐの下面に当接させ、そのときの駆動楔４の位置を計測する工程である。具体的には、図３（Ａ）に示した状態から、駆動手段６を作動させて駆動楔４を不動楔３及び昇降部材５に向かって押し込むことにより、昇降部材５を扛上させ、弾性体５２を扛上対象物Ｐの下面に当接させる。そして、位置表示金具８１の位置を目盛表示手段７の目盛りから読み取る。この作業は、いわゆる原点調整である。
【００４１】
図３（Ｃ）に示した終点確認工程は、扛上対象物Ｐの扛上量が目標値に達したか否かを確認する工程である。図３（Ｂ）に示した状態から、駆動手段６を作動させて駆動楔４に水平荷重を負荷し続けることにより、扛上対象物Ｐの重力に打ち勝つ反力（垂直荷重）を昇降部材５に負荷することができる。昇降部材５の垂直荷重が扛上対象物Ｐの重力よりも大きくなるまで、実質的に昇降部材５及び駆動楔４は停止したままである。
【００４２】
さらに、駆動手段６を作動させて駆動楔４に水平荷重を負荷すれば、昇降部材５により扛上対象物Ｐを扛上させることができる。通常、扛上対象物Ｐの扛上量（駆動楔４の上下方向の移動量ΔＺ）は予め一定の目標値となるように管理される。ここで、楔の勾配θは既知であることから、ΔＺの目標値から駆動楔４の水平方向の移動量ΔＸの目標値を算出することができる。そして、駆動楔４を不動楔３及び昇降部材５に向かって押し込みながら、位置表示金具８１の位置を目盛表示手段７の目盛りから読み取ることにより、駆動楔４の水平方向の移動量ΔＸを正確に把握することができる。
【００４３】
なお、目盛表示手段７として、図２（Ｂ）に記載したように、駆動楔４の水平方向の移動量ΔＸを駆動楔４の上下方向の移動量ΔＺに換算して表示したものを使用する場合には、駆動楔４の水平方向の移動量ΔＸの目標値を算出することなく、駆動楔４の上下方向の移動量ΔＺ（昇降部材５の移動量）の目標値により扛上量を管理することができる。
【００４４】
次に、本発明の第二実施形態に係る楔形ジャッキ装置について、図４（Ａ）〜（Ｃ）を参照しつつ説明する。ここで、図４は、本発明の第二実施形態に係る楔形ジャッキ装置を示す図であり、（Ａ）は長手方向側面図、（Ｂ）は平面図、（Ｃ）は変形例を示す短手方向側面図、である。なお、上述した第一実施形態と同じ構成部品については、同じ符号を付して重複した説明を省略する。また、各図において、説明の便宜上、駆動手段６の図を省略してある。
【００４５】
図４（Ａ）及び（Ｂ）に示した第二実施形態に係る楔形ジャッキ装置１は、目盛表示手段７を駆動楔４に配置し、位置表示手段８を架台フレーム２に配置したものである。具体的には、目盛表示手段７は、駆動楔４の上面に固定され駆動楔４の移動方向に延伸された略Ｔ字状の目盛表示金具７２を有し、位置表示手段８は、架台フレーム２の一部により構成されている。目盛表示金具７２は、駆動楔４の上面に形成されたタップ穴４４に固定するための係止孔を有し、留め具７３を係止孔及びタップ穴４４に挿通することにより、目盛表示金具７２は駆動楔４に固定される。
【００４６】
図示したように、目盛表示金具７２は、駆動手段６が配置された側に延伸されており、架台フレーム２の短手方向側面部２３と交差するように配置されている。目盛りは、目盛表示金具７２の延伸部に形成されており、マグネットやシールにより目盛りを貼付してもよいし、目盛りを直にけがくようにしてもよい。目盛表示金具７２は、図２（Ｂ）に示したように、駆動楔４の移動量ΔＸを昇降部材５の移動量ΔＺに換算して表示するように構成されていてもよい。位置表示手段８は、架台フレーム２の短手方向側面部２３におけるエッジ部により構成される。
【００４７】
かかる構成によれば、駆動楔４の移動に伴って、目盛表示手段７（目盛表示金具７２）が水平方向に移動し、固定された架台フレーム２との交点により駆動楔４の移動量ΔＸを計測することができる。なお、第二実施形態において、第一実施形態と同様のストッパプレート６３を使用する場合には、目盛表示金具７２を取り外してから、ストッパプレート６３を嵌挿させるようにすればよい。勿論、第二実施形態において、目盛表示金具７２を取り外さずに、油圧ジャッキ６１のロッドの両脇にストッパ部材を配置するようにしてもよい。
【００４８】
図４（Ｃ）に示した変形例は、上述した第二実施形態において、位置表示手段８を架台フレーム２に固定された位置表示金具８４により構成したものである。架台フレーム２の短手方向側面部２３との交点により目盛りを読み取る場合には、読み取り難く、計測誤差が生じる可能性がある。そこで、より正確に計測するために、短手方向側面部２３の上面に位置表示金具８４を配置し、目盛表示金具７２との交点を明確にしている。位置表示金具８４は、例えば、略コ字状の金具であり、目盛表示金具７２を跨ぐように短手方向側面部２３の上面に固定される。
【００４９】
次に、本発明の第三実施形態に係る楔形ジャッキ装置について、図５（Ａ）及び（Ｂ）を参照しつつ説明する。ここで、図５は、本発明の第三実施形態に係る楔形ジャッキ装置を示す図であり、（Ａ）は側面図、（Ｂ）は図５（Ａ）におけるＢ−Ｂ断面図、である。なお、上述した第一実施形態と同じ構成部品については、同じ符号を付して重複した説明を省略する。また、各図において、説明の便宜上、駆動手段６の図を省略してある。
【００５０】
図５（Ａ）及び（Ｂ）に示した第三実施形態に係る楔形ジャッキ装置１は、架台フレーム２の側面に形成された長孔２４を有し、目盛表示手段７は、長孔２４の縁部に沿って配置され、位置表示手段８は、長孔２４に挿通され駆動楔４の側面に固定された略Ｌ字状の位置表示金具８５により構成されたものである。長孔２４は、架台フレーム２の長手方向側面部２２の両面に形成されている。長孔２４の大きさは、駆動楔４の水平方向及び鉛直方向の移動時に位置表示金具８５と接触しないように設計される。
【００５１】
目盛表示手段７は、マグネットやシールにより目盛りを貼付してもよいし、目盛りを直にけがくようにしてもよい。目盛表示手段７は、図２（Ｂ）に示したように、駆動楔４の移動量ΔＸを昇降部材５の移動量ΔＺに換算して表示するように構成されていてもよい。位置表示金具８５は、楔形ジャッキ装置１を組み立てた後、外側から長孔２４に挿通され駆動楔４の側面に固定される。したがって、図示したように、目盛表示手段７の目盛り上に位置表示金具８５の端部を配置することができ、目盛りを容易に読み取ることができる。
【００５２】
駆動楔４は、駆動手段６により不動楔３及び昇降部材５に押し込まれると、不動楔３の傾斜面に沿って上昇することとなる。したがって、位置表示金具８５を略Ｌ字状に形成することにより、架台フレーム２の長手方向側面部２２の表面に沿って延伸させることができ、駆動楔４が上昇した場合であっても、位置表示金具８５を目盛表示手段７の目盛り上に配置しておくことができ、容易に目盛りを読み取ることができる。
【００５３】
なお、楔形ジャッキ装置１の左右両面に位置表示金具８５を固定可能に形成しておくことにより、実際の使用時に左右いずれの側から目盛りを読み取る場合であっても、容易に目盛表示手段７及び位置表示手段８を配置することができ、利便性に優れる。実際の計測時には、計測する側にのみ位置表示金具８５を固定すればよい。
【００５４】
次に、本発明の他の実施形態に係る楔形ジャッキ装置について、図６（Ａ）及び（Ｂ）を参照しつつ説明する。ここで、図６は、本発明の他の実施形態に係る楔形ジャッキ装置を示す図であり、（Ａ）は第四実施形態、（Ｂ）は第五実施形態、を示している。なお、上述した第一実施形態と同じ構成部品については、同じ符号を付して重複した説明を省略する。また、各図において目盛表示手段７及び位置表示手段８の図を省略してある。
【００５５】
図６（Ａ）に示した第四実施形態は、駆動楔４の上面４５が略水平面を形成し、昇降部材５を直方体形状に形成したものである。駆動楔４の下面４６は不動楔３の傾斜面に沿って摺動可能に形成されていることから、駆動楔４を略水平方向に移動させることにより、駆動楔４の上面４５を略水平に維持したまま上方に移動させることができる。したがって、本実施形態において、昇降部材５は傾斜面を有している必要はない。
【００５６】
図６（Ｂ）に示した第五実施形態は、上述した第一実施形態における昇降部材５を省略したものである。具体的には、不動楔３の上面（傾斜面）に、略水平面の上面４５及び傾斜面の下面４６を有する駆動楔４が載置され、駆動楔４の上面４５の上にトッププレート５１及び弾性体５２が配置されている。トッププレート５１は、水平方向の移動が拘束され、駆動楔４の上面４５と摺動可能な下面を有している。なお、本実施形態において、トッププレート５１が昇降部材５としての機能も有していると言い換えることもできる。
【００５７】
本発明は上述した実施形態に限定されず、橋梁の支承補修工事以外の物体を扛上させる工事にも使用することができる、不動楔３と駆動楔４の位置関係を入れ替えてもよい等、本発明の趣旨を逸脱しない範囲で種々変更が可能であることは勿論である。
【符号の説明】
【００５８】
１  楔形ジャッキ装置
２  架台フレーム
３  不動楔
４  駆動楔
５  昇降部材
６  駆動手段
７  目盛表示手段
８  位置表示手段
２１  底部
２２  長手方向側面部
２３  短手方向側面部
２３ａ  開口部
２３ｂ  ガイド板
２４  長孔
４１  先端部
４２  後端部
４３  係合部
４４  タップ穴
４５  上面
４６  下面
５１  トッププレート
５２  弾性体
６１  油圧ジャッキ
６２  ジャッキヘッド
６３  ストッパプレート
７１  目印
７２  目盛表示金具
７３，８２  留め具
８１，８４，８５  位置表示金具
８３  係止孔
【要約】
【課題】扛上量の管理精度を向上することができる楔形ジャッキ装置を提供する。
【解決手段】架台フレーム２に固定され傾斜面を形成する不動楔３と、不動楔３の傾斜面に沿って略水平方向に移動可能に配置された駆動楔４と、駆動楔４の上部に上下方向に移動可能に配置された昇降部材５と、架台フレーム２に固定され駆動楔４を略水平方向に移動させる駆動手段６と、を備え、架台フレーム２に対する駆動楔４の移動量ΔＸを読み取るための目盛りを有する目盛表示手段７と、駆動楔４の位置を指し示す位置表示手段８と、を有している。
【選択図】図１【図１】
0005467622.tif 000002
【図２】
0005467622.tif 000003
【図３】
0005467622.tif 000004
【図４】
0005467622.tif 000005
【図５】
0005467622.tif 000006
【図６】
0005467622.tif 000007